(57)【要約】【課題】文献３のハットは、日除け体に、遮光・遮温効果ＵＰに遮光・遮温材を組付ける必要が有り、またオシャレ面を改良し、更に成型加工等の大量生産を可能にして、安価で軽くし、更に涼感を増す事が課題である。【解決手段】通風口を設けた日除け体に、庇を前記通風口上部に設け、前記部材を、発泡樹脂材で成型加工し、前記発泡樹脂材には樹脂からなる耐衝撃性・耐折曲げ性ＵＰシートを接着して、他には上部庇を反転可能にし、又日除け体の外面に遮光性状の布体を挟持する挟持具を設け、遮光性状の布体を挟持出来るようにし、又リボン・ファッションタオル等を使って解決した。【選択図】図９
2011047075.tif 000002
【特許請求の範囲】
【請求項１】
通風口を設けた日除け体に、庇を前記通風口上部に設け、日除け体と庇を、発泡樹脂材を主材として成型加工した、帽子。
【請求項２】
日除け体と、これに取り付けられた上部庇とから成り、上部庇は部分円錐状の弾性材料より成り、上部庇は反転折れ線を庇円周部に反転可能に設け、日除け体の主材を発泡樹脂材とした、請求項1に記載の日除け体と庇の構造から成る帽子。
【請求項３】
請求項１に記載の日除け体の外面下部に遮光性状を持ち、且つ形状記憶弾性材を入れ込んだ布体で通気路を確保した、請求項1もしくは請求項２の何れかに記載の帽子。
【請求項４】
請求項１に記載の日除け体と庇の外面に遮光性状を持つ布体を挟持する挟持具を取り付けた請求項1もしくは請求項２の何れかに記載の帽子。
【発明の詳細な説明】
【技術分野】
【０００１】
夏の炎天下屋外で両手を使って作業をする時に使用する、日除け体に関する物である。
【背景技術】
【０００２】
特許文献1は、セルロイド笠で頭と日除け体上部との間に、熱をこもらなくする通気口を数多く中央部に設けていて、セルロイドを傘骨で支持しているもので、本願発明が根本的に相違する点は、発泡スチロール材を主材として日除け体本体を成型加工し、日除け目的の庇を通風口上部に設けていて、傘骨材を使用していない点である。
【０００３】
特許文献２は現在市販の川釣り笠を２段にして通風口を確保した物で、本願発明と根本的に相違する点は、特許文献２の明細書及び図面の記載から主材は草・木・竹と受け取れこれに対して、本願発明は発泡樹脂材を主材として日除け体本体を成型加工している点（構造上、加工、組み付け工数に差異があり、型具にイニシャル  コストは必要であるが、大量生産ラインを設置する事が可能で、コストを非常に低く出来る点）である。
【０００４】
特許文献３は日除け体とこれに取り付けられた庇とから成り、庇は部分円錐状の弾性材料より成り、庇は反転可能に庇円周部に反転折れ線を設け、庇取り付け下部の日除け体に通風口を形成した、ハットであり、本願発明はこの案件を安価で軽い発泡樹脂材を主材として成型加工可能な物にし、更に涼しくすべく、新たなアイディアーを織り込んだ物である。
【０００５】
【特許文献１】実用新案出願広告第８９１４号
【特許文献２】実開平０７−２１７３２
【特許文献３】特願２００８−２４１９２９
【発明の概要】
【発明が解決しようとする課題】
【０００６】
特許文献３のハットは、加工組み付け工数を小さくし、又女性が気にするファッション性の面に於いて改良の余地があり、更に安価で軽くし涼感をＵＰする事が課題である。
【課題を解決するための手段】
【０００７】
第一の発明は通風口を設けた日除け体に、庇を前記通風口上部に設け、日除け体と庇を、発泡樹脂材を主材として成型加工した、帽子を提供する。
第二の発明は日除け体と、これに取り付けられた上部庇とから成り、上部庇は部分円錐状の弾性材料より成り、上部庇は反転折れ線を庇円周部に反転可能に設け、日除け体の主材を発泡樹脂材とした、第一の発明に記載の日除け体と庇の構造から成る、帽子を提供する。
第三の発明は第一の発明に記載の日除け体の外面下部に遮光性状を持ち、且つ形状記憶弾性材を入れ込んだ布体で通気路を確保した、第一の発明もしくは第二の発明の何れかに記載の、帽子を提供する。
第四の発明は第一の発明に記載の日除け体と庇の外面に遮光性状を持つ布体を挟持する挟持具を取り付けた、第一の発明もしくは第二の発明の何れかに記載の、帽子を提供する。
【０００８】
請求項１で発泡樹脂材を主材としてと、記載しているが、断熱性があり軽量で成型加工可能な発泡ポリプロピレン（ＥＰＰ・ＰＰＰ）発泡ポリエチレンでも不可能ではないが、好ましくは発泡スチロール材ＥＰＳ（ビーズ法発泡スチロール）やＰＳＰ（ポリスチレンペーパー）やＸＰＳ（押し出しポリスチレン）で、本願発明の構造に最適な材料としてはＰＳＰ（ポリスチレンペーパー）としている。
【発明の効果】
【０００９】
発泡樹脂材を主材としているので、軽くて断熱性が優れ涼感が増した。
【００１０】
発泡スチロール材に耐衝撃性・耐折曲げ性ＵＰシートを接着しているので頭接体中心から４００ｍｍＲ程度の範囲内の大きさにもできる様に成った。
【００１１】
通風口を設けた日除け体に、庇を前記通風口上部に設けた事で、直射日光を頭部に受けなくなり、日除け体内部が蒸れなくなった。
【００１２】
発泡体の使用で合成樹脂板材使用に比べ樹脂使用量が約１／３〜１／１０で済み材料費を少なくできた。
【００１３】
発泡樹脂材を主材として成型加工しているので部品点数が少なく出来、その分組み付け工数を少なく出来コストダウンに寄与した。
【００１４】
図１，２，３，４の日除け体と庇の外面に遮光性状を持つ布体を付属させることで、首筋（主にうなじ部）を紫外線から守れる様になった。
更に前記遮光性状を持つ布体を、肌ざわりの良い不織布を使用すれば、加工コストも小さくする事が出来る。
【００１５】
頭にタオルを載せその上から帽子を被っているのを見かけるが、此の場合頭は相当蒸れるが、通風口を設けた日除け体に、日除け体と庇の外面に遮光性状を持つ布体（図８の場合はファッション  タオルをイメージしている）を挟持する挟持具を取り付けたので、頭は蒸れなくなり涼感が増し、更に汗ばんだ時、挟持している布体で拭くことが出来る。
【００１６】
日除け体の強度を増すために、ポリ塩化ビニールやポリプロピレンなどの樹脂からなる耐衝撃性・耐折曲げ性ＵＰシートを接着するので、シートに接着前に印刷する事も出来、色々なコマーシャルを表示出来、又漫画や各種のおしゃれなデザイン等も表示出来るようになった。
【００１７】
図３のように日除け体と庇の外面にリボン又はコサージュ等を装着し、又スカーフ等巻くことでファッション性をＵＰすることもできるし、庇の形状も色々な形に出来る。
【図面の簡単な説明】
【００１８】
【図１】（ａ）１Ｂタイプ  発泡スチロール材を主材として成型加工した帽子（ハット）の斜視図。                  （ｂ）・（ａ）図のＡ−Ａ断面図                  （ｃ−１）・（ｃ−２）発泡スチロール材に耐衝撃性・耐折曲げ性ＵＰシートを片面もしくは両面に接着した断面図
【図２】（ａ）２Ｂタイプ  発泡スチロール材を主材として成型加工した帽子（ハット）の斜視図，一部分断面図。                   （ｂ）・（ａ）図のＢ−Ｂ断面図
【図３】（ａ）４Ｂタイプ  発泡スチロール材を主材として成型加工した帽子（ハット）の斜視図，一部分断面図。                    （ｂ）・（ａ）図の日除け体と庇を別々に成型し、接合要領図
【図４】（ａ）３Ｂタイプ  日除け体に部分円錐状の庇を反転可能に設けた帽子（ハット）の斜視図，一部分断面図。（ｂ）・（ａ）図の上面図
【図５】（ａ）日除け体の外面下部に、形状記憶弾性材を入れ込んだ布体（Ｔａタイプ）の装着斜視図                   （ｂ）・（ａ）図のＥ−Ｅ断面図
【図６】（ａ）日除け体の外面下部に、形状記憶弾性材を入れ込んだ布体（Ｔｃタイプ）の装着斜視図                   （ｂ）・（ａ）図のＦ−Ｆ断面図
【図７】ヘアーバンドタイプ頭接体で、日除け体との接続を接着する形式の斜視図
【図８】（ａ）頭接体で日除け体との接続を、嵌め込み具使用する形式の斜視図                   （ｂ）・（ａ）図のＤ−Ｄ断面図
【図９】（ａ）１Ｂタイプ  発泡スチロール材を主材として成型加工した、帽子（ハット）の庇の上面に、布体を挟持する挟持具を取り付けた斜視図。                  （ｂ）・（ａ）図のＴ−Ｔ断面図
【図１０】反転折れ線の加工要領断面図
【発明を実施するための形態】
【００１９】
当発明の図面の重要部分は拡大・誇張して表示して詳細部が判り易くし、又実線と実線が近接していて、図の電子化オンライン送信の際、実線と実線の間が黒く成るケースが多々有るので、実線と実線の間を少し広くして表現するか又は１本の線であらわし、その他の部分に於いては縮尺して表示した部分もあり、又図面間の寸法は縮尺及び拡大されている。
【００２０】
発泡スチロール材は最初に開発されたＥＰＳ（ビーズ法発泡スチロール）やＰＳＰ（ポリスチレンペーパー）ＸＰＳ（押し出しポリスチレン）が有るがこれらは製法が異なるだけであり、いずれも「発泡させたポリスチレン」である、
本願発明ではＰＳＰ（ポリスチレンペーパー）を主として採用していて、ＰＳＰは熱を加えて融解させた原料に、発泡を行う為のガスや発泡剤を加え、液体から厚さ数ミリ程度のシート状に引き伸ばすと同時に発泡させた物であり、食品トレーや、カップ麺の容器に使われている素材である。
発泡させた樹脂はすべて本願発明の範囲に入るが、加工業者が容易に入手出来る材料で帽子（ハット）に、採用し易い位置に有る物は、発泡スチロール材である。
【００２１】
前段落（００２０）に記載の材料に強度を増すために、ポリ塩化ビニールやポリプロピレンなどの樹脂からなるシート（ｔ＝０．００５ｍｍ〜０．２ｍｍ程度）を接着して、耐衝撃性・耐折曲げ強度をＵＰさせ、さらに頭接体と発泡スチロール材の、日除け体との接合強度ＵＰさせる事が可能となる、本願発明では重複記載を避けるため、以降「発泡スチロール」の記載ではＰＳＰ（ポリスチレンペーパー）を主として採用し、ポリ塩化ビニールやポリプロピレンなどの樹脂からなる耐衝撃性・耐折曲げ強度ＵＰシートを片面もしくは両面に接着したものを表現している。
【００２２】
更に前記ポリ塩化ビニールやポリプロピレンなどのシートを、接着する前に印刷する事も出来るので、色々なコマーシャルを表示出来、又漫画や各種のおしゃれなデザイン等も表示出来る。
【００２３】
通風口（Ｗ）を設けた日除け体（１Ｂ・２Ｂ・４Ｂ）に、庇（１Ｂ−１・２Ｂ−１・４Ｂ−１）を前記通風口上部に設け（図１〜３）、日除け体と庇を、発泡スチロール材（発泡樹脂材）を主材として成型加工した帽子（ハット）であり、図１〜３の日除け体と庇を、発泡スチロール材を主材として耐衝撃性及び耐折曲げ強度を増すために、片面（この図の場合は下及び内面）にポリ塩化ビニールやポリプロピレンなどの樹脂からなるシートを接着したものを１〜５ピースに成型加工し、２ピース以上の場合は接合している。
【００２４】
図１（ｂ）の日除け体内部の図はヘアーバンドタイプの頭接体と日除け体の接続例であるが、弾性体の頭接体（Ａ−３）と日除け体（１Ｂ）とを接続体（Ａ−１）で日除け体前面内側に接着し、更に弾性体の側面接続体（Ａ−２）で日除け体両面内側に接着している。
又図１〜３の日除け体と庇を、別々に成型して接合し、頭丁部を２重にすれば遮熱効率が高くなり、涼感が増す（参考・図３−ｂ）。
【００２５】
通風口（Ｗ）を有する日除け体（３Ｂ）と、前記通風口上部に取り付けられた上部庇（３Ｂ−１）とから成り、上部庇は部分円錐状の弾性材料より成り、上部庇は反転折れ線（３Ｂ−６・図１０）を庇円周部に反転可能に設け（図４）、日除け体の主材を発泡スチロール材（発泡樹脂材）として、上部庇を反転可能な弾性材料で構成した、請求項1に記載の日除け体と庇の構造から成る帽子（ハット）。
更に反転手動操作を易しくする目的で前記上部庇に少なくとも１箇所の切割り（３Ｂ−７ａ）を設け、切割り部を覆うカバー（３Ｂ−７ａ）を設けた帽子で、前記切割りは設け無くても反転は可能である。
切割り部を覆うカバー（３Ｂ−７ａ）は突然の雨の対応策である。
【００２６】
請求項１に記載の日除け体（Ｂ）の外面下部に遮光性状を持ち、且つ形状記憶弾性材（Ｔｂ・弾性樹脂細線材及びピアノ細線等）を入れ込んだ布体（Ｔａ・Ｔｃ・不織布も含む）で通気路（Ｗａ・Ｗｂ）を確保した（図５・図６）、請求項1もしくは請求項２の何れかに記載の帽子（ハット）。
図６（ｂ）の形状記憶弾性材（Ｔｂ）を入れ込んだ布体（Ｔｃ−１・不織布も含む）と通風口を有する布体（Ｔｃ−２・不織布も含む）を接合加工し２層として、図６の通風口Ｗｂを形成する、帽子（ハット）。
更に前記布体（Ｔｃ−１及びＴｃ−２）を、面テープの使用で、取り外し・取り付けが自在に出来る様にも出来るし、下向き、斜め横向き等の作業時、前記布体（Ｔｃ−１及びＴｃ−２）が顔を覆ったりして邪魔になるので、布体端に紐を付けて結べる様にするか、又図６（ａ）の様に顎紐（ＭＬ・ＳＢ）を設けても良い。（図５の場合も同じ）
【００２７】
図７（ａ）・図７（ｂ）は日除け体と頭接体との接続の一例図であってこの方式に、こだわる必要は無い。
図７（ａ）はヘアー バンド タイプの頭接体と日除け体の接続図であるが、弾性体の頭接体（Ａ−３）と日除け体（Ｂ）とを接続体（Ａ−１）で日除け体前面内側に接着（接着部はＳ）し、更に弾性体の側面接続体（Ａ−２）で日除け体両面内側に接着していて、側面接続体（Ａ−２）は頭のサイズの違いを、ヘアーバンド タイプの頭接体の内外方向の弾性変形（Ｋ部の弾性力）で吸収し、帽子（ハット）を頭に保持している。
しかし前記弾性力だけでは頭のサイズの違いを吸収し切れない場合には、頭接体のサイズをＬ・Ｍ・Ｓと３段階程度にするのが良い。
【００２８】
図７（ｂ）は日除け体との接続を、嵌め込み具使用するタイプの頭接体と日除け体の接続図であるが、頭のサイズの違いを、内外（頭のサイズに対応する）方向の弾性変形（Ａ−６）弾性バンド（ゴムバンド相当の弾性）で吸収し、帽子（ハット）を頭に保持している。
【００２９】
図８（ａ）は前記段落（００２８）で記載の、日除け体との接続で嵌め込み具使用するタイプの詳細図で、図８（ｂ）は嵌め込み部の詳細拡大断面図で、日除け体成型加工時に嵌め込み具の凸部が入る穴を、設定したい位置にあけておき、頭接体との接続体（Ａ−７ｂ）を穴にセットし、日除け体の外側から嵌め込み具の凸部（Ａ−７ｃ）を嵌め込み固定する（此の時日除け体側に接着材を塗布すれば動かなくなる）
【００３０】
図９は請求項１に記載の日除け体（１Ｂ・２Ｂ・４Ｂ）と庇（１Ｂ−１・２Ｂ−１・４Ｂ−１）の外面に遮光性状を持つ布体（ＦＴ）を挟持する挟持具（ＴＱ）を取り付けたもので前記遮光性状を持つ布体（ＦＴ）は図面ではファッションタオルをイメージしている
【００３１】
図１０は図４の上部庇を反転させる為に設ける、反転折れ線の加工要領断面図で、前記庇の曲げ方向側もしくは反対側に凹線を設けて、事前に折癖を付けて取り付ける、又は庇を日除け体と一体にして成型する場合は、インサート前に折癖を付けておく必要がある。
【符号の説明】
【００３２】
Ｂ．      日除け体
１Ｂ．    １Ｂタイプの日除け体
１Ｂ−１．日除け体の天丁部の庇
１Ｂ−２．日除け体下部の前方に伸びる庇
２Ｂ．    ２Ｂタイプの日除け体
２Ｂ−１．２Ｂタイプの日除け体の天丁部の庇
２Ｂ−２．２Ｂタイプの日除け体下部の前方に伸びる庇
３Ｂ．    ３Ｂタイプの日除け体
３Ｂ−１．３Ｂタイプの日除け体の天丁部の庇
３Ｂ−２．３Ｂタイプの日除け体下部の前方に伸びる庇
３Ｂ−６．上部庇の反転折れ線
３Ｂ−７ａ．上部庇の切割り部
３Ｂ−７ｂ．上部庇の切割り部を覆うカバー
４Ｂ．    ４Ｂタイプの日除け体
４Ｂ−１．４Ｂタイプの日除け体の天丁部の庇
４Ｂ−２．４Ｂタイプの日除け体下部の前方に伸びる庇
Ａ−１．  頭接体と日除け体の接続体
Ａ−２．  頭接体と日除け体の側面接続体
Ａ−３．  ヘアー バンド タイプの、弾性体の頭接体
Ａ−５．  嵌め込みタイプの接続体を有する頭接体
Ａ−６．  弾性バンド（ゴムバンド相当の弾性）
Ａ−７ｂ．嵌め込みタイプの接続体で嵌め込まれる側
Ａ−７ｃ．嵌め込みタイプの接続体で嵌め込む側
ＦＴ．    布体（図９の場合ファッション タオルをイメージ）
Ｋ．      ヘアーバンドタイプの接続体の弾性部
ＰＦ．    ポリ塩化ビニールやポリプロピレン等の樹脂フイルム
ＰＳ．    発泡スチロール（ポリスチレン）
Ｒ．      リボン
Ｓ．      接続体の日除け体との接着面
ＳＢ．    顎紐絞り玉
ＭＬ．    顎紐
Ｔａ．    形状記憶弾性材を入れ込んだ布体（Ｔａタイプ）
Ｔｂ．    形状記憶弾性材
Ｔｃ．    形状記憶弾性材を入れ込んだ布体（Ｔｃタイプ）
Ｔｃ−１．Ｔｃタイプの布体で形状記憶弾性材を入れ込んだ２層の片側
Ｔｃ−２．Ｔｃタイプの布体で窓を持つ２層のＴｃ−１の相手側
ＴＱ．    布体（ＦＴ）を挟持する挟持具    
Ｗ．      通風口
Ｗａ．    形状記憶弾性材を入れ込んだ布体（Ｔａタイプ）の通風路
Ｗｂ．    形状記憶弾性材を入れ込んだ布体（Ｔｃタイプ）の通風口
【図１】
2011047075.tif 000003
【図２】
2011047075.tif 000004
【図３】
2011047075.tif 000005
【図４】
2011047075.tif 000006
【図５】
2011047075.tif 000007
【図６】
2011047075.tif 000008
【図７】
2011047075.tif 000009
【図８】
2011047075.tif 000010
【図９】
2011047075.tif 000011
【図１０】
2011047075.tif 000012
【手続補正書】
【提出日】平成21年12月22日(2009.12.22)
【手続補正１】
【補正対象書類名】特許請求の範囲
【補正対象項目名】全文
【補正方法】変更
【補正の内容】
【特許請求の範囲】
【請求項１】
通風口を設けた日除け体に、庇を前記通風口上部に設け、更に日除け体と庇の外面の何れかに、遮光性状を持つ布体を挟持する挟持具を取り付け、日除け体と庇を、発泡樹脂材を主材として成型加工した帽子。
【請求項２】
日除け体と、これに取り付けられた上部庇とから成り、上部庇は部分円錐状で、反転折れ線を庇円周部に反転可能に設け、上部庇と日除け体を、発泡樹脂材を主材として成型加工した帽子。
【請求項３】
請求項１もしくは請求項２の何れかに記載の発泡樹脂材に、樹脂からなる耐衝撃性・耐折曲げ性ＵＰシートを接着した帽子。
【手続補正２】
【補正対象書類名】明細書
【補正対象項目名】全文
【補正方法】変更
【補正の内容】
【発明の詳細な説明】
【技術分野】
【０００１】
夏の炎天下屋外で両手を使って作業をする時に使用する、日除け体に関する物である。
【背景技術】
【０００２】
特許文献1は、セルロイド笠で頭と日除け体上部との間に、熱をこもらなくする通気口を数多く中央部に設けていて、セルロイドを傘骨で支持しているもので、本願発明が根本的に相違する点は、発泡スチロール材を主材として日除け体本体を成型加工し、日除け目的の庇を通風口上部に設けていて、傘骨材を使用していない点である。
【０００３】
特許文献２は現在市販の川釣り笠を２段にして通風口を確保した物で、本願発明と根本的に相違する点は、特許文献２の明細書及び図面の記載から主材は草・木・竹と受け取れこれに対して、本願発明は発泡樹脂材を主材として日除け体本体を成型加工している点（構造上、加工、組み付け工数に差異があり、型具にイニシャル  コストは必要であるが、大量生産ラインを設置する事が可能で、コストを非常に低く出来る点）である。
【０００４】
特許文献３は日除け体とこれに取り付けられた庇とから成り、庇は部分円錐状の弾性材料より成り、庇は反転可能に庇円周部に反転折れ線を設け、庇取り付け下部の日除け体に通風口を形成した、ハットであり、本願発明はこの案件を安価で軽い発泡樹脂材を主材として成型加工可能な物にし、更に涼しくすべく、新たなアイディアーを織り込んだ物である。
【０００５】
【特許文献１】実用新案出願広告第８９１４号
【特許文献２】実開平０７−２１７３２
【特許文献３】特願２００８−２４１９２９
【発明の概要】
【発明が解決しようとする課題】
【０００６】
特許文献３のハットは、加工組み付け工数を小さくし、又女性が気にするファッション性の面に於いて改良の余地があり、更に安価で軽くし涼感をＵＰする事が課題である。
【課題を解決するための手段】
【０００７】
第一の発明は通風口を設けた日除け体に、庇を前記通風口上部に設け、更に日除け体と庇の外面の何れかに、遮光性状を持つ布体を挟持する挟持具を取り付け、日除け体と庇を、発泡樹脂材を主材として成型加工した帽子を提供する。
第二の発明は日除け体と、これに取り付けられた上部庇とから成り、上部庇は部分円錐状で、反転折れ線を庇円周部に反転可能に設け、上部庇と日除け体を、発泡樹脂材を主材として成型加工した帽子を提供する。
第三の発明は第一の発明もしくは第二の発明の何れかに記載の発泡樹脂材に、樹脂からなる耐衝撃性・耐折曲げ性ＵＰシートを接着した帽子を提供する。
【０００８】
請求項１で発泡樹脂材を主材としてと、記載しているが、断熱性があり軽量で成型加工可能な発泡ポリプロピレン（ＥＰＰ・ＰＰＰ）発泡ポリエチレンでも不可能ではないが、好ましくは発泡スチロール材ＥＰＳ（ビーズ法発泡スチロール）やＰＳＰ（ポリスチレンペーパー）やＸＰＳ（押し出しポリスチレン）で、本願発明の構造に最適な材料としてはＰＳＰ（ポリスチレンペーパー）としている。
【発明の効果】
【０００９】
発泡樹脂材を主材としているので、軽くて断熱性が優れ涼感が増した。
【００１０】
発泡樹脂材に耐衝撃性・耐折曲げ性ＵＰシートを接着しているので頭接体中心から４００ｍｍＲ程度の範囲内の大きさにもできる様に成った。
【００１１】
通風口を設けた日除け体に、庇を前記通風口上部に設けた事で、直射日光を頭部に受けなくなり、日除け体内部が蒸れなくなった。
【００１２】
発泡体の使用で合成樹脂板材使用に比べ樹脂使用量が約１／３〜１／１０で済み材料費を少なくできた。
【００１３】
発泡樹脂材を主材として成型加工しているので部品点数が少なく出来、その分組み付け工数を少なく出来コストダウンに寄与した。
【００１４】
図１，２，３の日除け体と庇の外面の何れかに、遮光性状を持つ布体を挟持させることで、首筋（主にうなじ部）を紫外線から守れる様になった。
更に前記遮光性状を持つ布体を、肌ざわりの良い不織布を使用すれば、加工コストも小さくする事が出来る。
【００１５】
頭にタオルを載せその上から帽子を被っているのを見かけるが、此の場合頭は相当蒸れるが、通風口を設けた日除け体に、日除け体と庇の外面の、何れかに遮光性状を持つ布体（図9の場合はファッション  タオルをイメージしている）を挟持する挟持具を取り付けたので、頭は蒸れなくなり涼感が増し、更に汗ばんだ時、挟持している布体で拭くことが出来る。
【００１６】
日除け体の強度を増すために、ポリ塩化ビニールやポリプロピレンなどの樹脂からなる耐衝撃性・耐折曲げ性ＵＰシートを接着するので、シートに接着前に印刷する事も出来、色々なコマーシャルを表示出来、又漫画や各種のおしゃれなデザイン等も表示出来るようになった。
【００１７】
図３のように日除け体と庇の外面にリボン又はコサージュ等を装着し、又スカーフ等巻くことでファッション性をＵＰすることもできるし、庇の形状も色々な形に出来る。
【図面の簡単な説明】
【００１８】
【図１】（ａ）１Ｂタイプ  発泡スチロール材を主材として成型加工した帽子（ハット）の斜視図。        （ｂ）・（ａ）図のＡ−Ａ断面図        （ｃ−１）・（ｃ−２）発泡スチロール材に耐衝撃性・耐折曲げ性ＵＰシートを片面もしくは両面に接着した断面図
【図２】（ａ）２Ｂタイプ  発泡スチロール材を主材として成型加工した帽子（ハット）の斜視図，一部分断面図。        （ｂ）・（ａ）図のＢ−Ｂ断面図
【図３】（ａ）４Ｂタイプ  発泡スチロール材を主材として成型加工した帽子（ハット）の斜視図，一部分断面図。        （ｂ）・（ａ）図の日除け体と庇を別々に成型し、接合要領図
【図４】（ａ）３Ｂタイプ  日除け体に部分円錐状の庇を反転可能に設けた帽子（ハット）の斜視図，一部分断面図。（ｂ）・（ａ）図の上面図
【図５】（ａ）日除け体の外面下部に、形状記憶弾性材を入れ込んだ布体（Ｔａタイプ）の装着斜視図         （ｂ）・（ａ）図のＥ−Ｅ断面図
【図６】（ａ）日除け体の外面下部に、形状記憶弾性材を入れ込んだ布体（Ｔｃタイプ）の装着斜視図        （ｂ）・（ａ）図のＦ−Ｆ断面図
【図７】ヘアーバンドタイプ頭接体で、日除け体との接続を接着する形式の斜視図
【図８】（ａ）頭接体で日除け体との接続を、嵌め込み具使用する形式の斜視図          （ｂ）・（ａ）図のＤ−Ｄ断面図
【図９】（ａ）１Ｂタイプ  発泡スチロール材を主材として成型加工した、帽子（ハット）の庇の上面に、布体を挟持する挟持具を取り付けた斜視図。        （ｂ）・（ａ）図のＴ−Ｔ断面図
【図１０】反転折れ線の加工要領断面図
【発明を実施するための形態】
【００１９】
当発明の図面の重要部分は拡大・誇張して表示して詳細部が判り易くし、又実線と実線が近接していて、図の電子化オンライン送信の際、実線と実線の間が黒く成るケースが多々有るので、実線と実線の間を少し広くして表現するか又は１本の線であらわし、その他の部分に於いては縮尺して表示した部分もあり、又図面間の寸法は縮尺及び拡大されている。
【００２０】
発泡スチロール材は最初に開発されたＥＰＳ（ビーズ法発泡スチロール）やＰＳＰ（ポリスチレンペーパー）ＸＰＳ（押し出しポリスチレン）が有るがこれらは製法が異なるだけであり、いずれも「発泡させたポリスチレン」である、
本願発明ではＰＳＰ（ポリスチレンペーパー）を主として採用していて、ＰＳＰは熱を加えて融解させた原料に、発泡を行う為のガスや発泡剤を加え、液体から厚さ数ミリ程度のシート状に引き伸ばすと同時に発泡させた物であり、食品トレーや、カップ麺の容器に使われている素材である。
発泡させた樹脂はすべて本願発明の範囲に入るが、加工業者が容易に入手出来る材料で帽子（ハット）に、採用し易い位置に有る物は、発泡スチロール材である。
【００２１】
前段落（００２０）に記載の材料に強度を増すために、ポリ塩化ビニールやポリプロピレンなどの樹脂からなるシート（ｔ＝０．００５ｍｍ〜０．２ｍｍ程度）を接着して、耐衝撃性・耐折曲げ強度をＵＰさせ、さらに頭接体と発泡スチロール材の、日除け体との接合強度ＵＰさせる事が可能となる、本願発明では重複記載を避けるため、以降「発泡スチロール」の記載ではＰＳＰ（ポリスチレンペーパー）を主として採用し、ポリ塩化ビニールやポリプロピレンなどの樹脂からなる耐衝撃性・耐折曲げ強度ＵＰシートを片面もしくは両面に接着したものを表現している。
【００２２】
更に前記ポリ塩化ビニールやポリプロピレンなどのシートを、接着する前に印刷する事も出来るので、色々なコマーシャルを表示出来、又漫画や各種のおしゃれなデザイン等も表示出来る。
【００２３】
通風口（Ｗ）を設けた日除け体（１Ｂ・２Ｂ・４Ｂ）に、庇（１Ｂ−１・２Ｂ−１・４Ｂ−１）を前記通風口上部に設け（図１〜３）、日除け体と庇を、発泡スチロール材（発泡樹脂材）を主材として成型加工した帽子（ハット）であり、図１〜３の日除け体と庇を、発泡スチロール材を主材として耐衝撃性及び耐折曲げ強度を増すために、片面（この図の場合は下及び内面）にポリ塩化ビニールやポリプロピレンなどの樹脂からなるシートを接着したものを１〜５ピースに成型加工し、２ピース以上の場合は接合している。
【００２４】
図１（ｂ）の日除け体内部の図はヘアーバンドタイプの頭接体と日除け体の接続例であるが、弾性体の頭接体（Ａ−３）と日除け体（１Ｂ）とを接続体（Ａ−１）で日除け体前面内側に接着し、更に弾性体の側面接続体（Ａ−２）で日除け体両面内側に接着している。
又図１〜３の日除け体と庇を、別々に成型して接合し、頭丁部を２重にすれば遮熱効率が高くなり、涼感が増す（参考・図３−ｂ）。
【００２５】
通風口（Ｗ）を有する日除け体（３Ｂ）と、前記通風口上部に取り付けられた上部庇（３Ｂ−１）とから成り、上部庇は部分円錐状で反転折れ線（３Ｂ−６・図１０）を庇円周部に反転可能に設け（図４）、日除け体の主材を発泡スチロール材（発泡樹脂材）として、上部庇を反転可能に構成した帽子（ハット）。
更に反転手動操作を易しくする目的で前記上部庇に少なくとも１箇所の切割り（３Ｂ−７ａ）を設け、切割り部を覆うカバー（３Ｂ−７ａ）を設けた帽子で、前記切割りは設け無くても反転は可能である。
切割り部を覆うカバー（３Ｂ−７ａ）は突然の雨の対応策である。
【００２６】
請求項１に記載の日除け体（Ｂ）の外面下部に遮光性状を持ち、且つ形状記憶弾性材（Ｔｂ・弾性樹脂細線材及びピアノ細線等）を入れ込んだ布体（Ｔａ・Ｔｃ・不織布も含む）で通気路（Ｗａ・Ｗｂ）を確保した（図５・図６）帽子（ハット）。
図６（ｂ）の形状記憶弾性材（Ｔｂ）を入れ込んだ布体（Ｔｃ−１・不織布も含む）と通風口を有する布体（Ｔｃ−２・不織布も含む）を接合加工し２層として、図６の通風口Ｗｂを形成する、帽子（ハット）。
更に前記布体（Ｔｃ−１及びＴｃ−２）を、面テープの使用で、取り外し・取り付けが自在に出来る様にも出来るし、下向き、斜め横向き等の作業時、前記布体（Ｔｃ−１及びＴｃ−２）が顔を覆ったりして邪魔になるので、布体端に紐を付けて結べる様にするか、又図６（ａ）の様に顎紐（ＭＬ・ＳＢ）を設けても良い。（図５の場合も同じ）
【００２７】
図７（ａ）・図７（ｂ）は日除け体と頭接体との接続の一例図であってこの方式に、こだわる必要は無い。
図７（ａ）はヘアー
バンド タイプの頭接体と日除け体の接続図であるが、弾性体の頭接体（Ａ−３）と日除け体（Ｂ）とを接続体（Ａ−１）で日除け体前面内側に接着（接着部はＳ）し、更に弾性体の側面接続体（Ａ−２）で日除け体両面内側に接着していて、側面接続体（Ａ−２）は頭のサイズの違いを、ヘアー
バンド タイプの頭接体の内外方向の弾性変形（Ｋ部の弾性力）で吸収し、帽子（ハット）を頭に保持している。
しかし前記弾性力だけでは頭のサイズの違いを吸収し切れない場合には、頭接体のサイズをＬ・Ｍ・Ｓと３段階程度にするのが良い。
【００２８】
図７（ｂ）は日除け体との接続を、嵌め込み具使用するタイプの頭接体と日除け体の接続図であるが、頭のサイズの違いを、内外（頭のサイズに対応する）方向の弾性変形（Ａ−６）弾性バンド（ゴムバンド相当の弾性）で吸収し、帽子（ハット）を頭に保持している。
【００２９】
図８（ａ）は前記段落（００２８）で記載の、日除け体との接続で嵌め込み具使用するタイプの詳細図で、図８（ｂ）は嵌め込み部の詳細拡大断面図で、日除け体成型加工時に嵌め込み具の凸部が入る穴を、設定したい位置にあけておき、頭接体との接続体（Ａ−７ｂ）を穴にセットし、日除け体の外側から嵌め込み具の凸部（Ａ−７ｃ）を嵌め込み固定する（此の時日除け体側に接着材を塗布すれば動かなくなる）
【００３０】
日除け体と庇の何れかに挟持具を設け、（挟持具も多種多様と色々あり、その挟持具の特性により、取り付け・取り扱い方法が変わるので多くの挟持具を列記し、その取り付け・取り扱い方法を説明する事を省き、その1例として図9をモデルとして説明する、）図9は日除け体（1B・2B・4B）と庇（１B‐1・２B‐1・４B‐1）の外面の何れかに遮光性状を持つ布体（FT）を、挟持する挟持具（TQ・この図の場合はヘァーピンを大きくした様な物で、前記布体（FT）を挟持・着脱可能にした物）を取り付け（取り付け方法は、接着・熱着・図８ｂの様に嵌め込み取り付け等色々考えられる） 遮光性状を持つ布体（FT・図9の場合はファッション  タオルをイメージしている）を挟持し、更に下向き、斜め横向き等の作業時、前記布体が顔を覆ったりして邪魔になるので、布体端に紐を付けて結べる様にするか、又図６（ａ）の様に顎紐（ＭＬ・ＳＢ）を設けるとか、面テープの使用で、布体端部がぶら下がりを防止する様にも出来る。
【００３１】
図１０は図４の上部庇を反転させる為に設ける、反転折れ線の加工要領断面図で、前記庇の曲げ方向側もしくは反対側に凹線を設けて、事前に折癖を付けて取り付ける、又は庇を日除け体と一体にして成型する場合は、インサート前に折癖を付けておく必要がある。
【符号の説明】
【００３２】
Ｂ．      日除け体
１Ｂ．    １Ｂタイプの日除け体
１Ｂ−１．日除け体の天丁部の庇
１Ｂ−２．日除け体下部の前方に伸びる庇
２Ｂ．    ２Ｂタイプの日除け体
２Ｂ−１．２Ｂタイプの日除け体の天丁部の庇
２Ｂ−２．２Ｂタイプの日除け体下部の前方に伸びる庇
３Ｂ．    ３Ｂタイプの日除け体
３Ｂ−１．３Ｂタイプの日除け体の天丁部の庇
３Ｂ−２．３Ｂタイプの日除け体下部の前方に伸びる庇
３Ｂ−６．上部庇の反転折れ線
３Ｂ−７ａ．上部庇の切割り部
３Ｂ−７ｂ．上部庇の切割り部を覆うカバー
４Ｂ．    ４Ｂタイプの日除け体
４Ｂ−１．４Ｂタイプの日除け体の天丁部の庇
４Ｂ−２．４Ｂタイプの日除け体下部の前方に伸びる庇
Ａ−１．  頭接体と日除け体の接続体
Ａ−２．  頭接体と日除け体の側面接続体
Ａ−３．  ヘアー バンド タイプの、弾性体の頭接体
Ａ−５．  嵌め込みタイプの接続体を有する頭接体
Ａ−６．  弾性バンド（ゴムバンド相当の弾性）
Ａ−７ｂ．嵌め込みタイプの接続体で嵌め込まれる側
Ａ−７ｃ．嵌め込みタイプの接続体で嵌め込む側
ＦＴ．    布体（図９の場合ファッション
タオルをイメージ）
Ｋ．      ヘアーバンドタイプの接続体の弾性部
ＰＦ．    ポリ塩化ビニールやポリプロピレン等の樹脂フイルム
ＰＳ．    発泡スチロール（ポリスチレン）
Ｒ．      リボン
Ｓ．      接続体の日除け体との接着面
ＳＢ．    顎紐絞り玉
ＭＬ．    顎紐
Ｔａ．    形状記憶弾性材を入れ込んだ布体（Ｔａタイプ）
Ｔｂ．    形状記憶弾性材
Ｔｃ．    形状記憶弾性材を入れ込んだ布体（Ｔｃタイプ）
Ｔｃ−１．Ｔｃタイプの布体で形状記憶弾性材を入れ込んだ２層の片側
Ｔｃ−２．Ｔｃタイプの布体で窓を持つ２層のＴｃ−１の相手側
ＴＱ．    布体（ＦＴ）を挟持する挟持具    
Ｗ．      通風口
Ｗａ．    形状記憶弾性材を入れ込んだ布体（Ｔａタイプ）の通風路
Ｗｂ．    形状記憶弾性材を入れ込んだ布体（Ｔｃタイプ）の通風口
【手続補正書】
【提出日】平成22年4月12日(2010.4.12)
【手続補正１】
【補正対象書類名】特許請求の範囲
【補正対象項目名】全文
【補正方法】変更
【補正の内容】
【特許請求の範囲】
【請求項１】
通風口を設けた日除け体に、庇を前記通風口上部に設け、更に日除け体と庇の外面の何れかに、遮光性状を持つ布体を挟持する挟持具を取り付け、日除け体と庇を、発泡樹脂材を主材として成型加工した帽子。
【手続補正２】
【補正対象書類名】明細書
【補正対象項目名】００３０
【補正方法】変更
【補正の内容】
【００３０】
日除け体と庇の何れかに挟持具を設け、(挟持具も多種多様と色々あり、その挟持具の特性により、取り付け・取り扱い方法が変わるので多くの挟持具を列記し、その取り付け・取り扱い方法を説明する事を省き、その1例として図9をモデルとして説明する、図9は日除け体(1B・2B・4B)と庇(1B-1・2B-1・4B-1)の外面の何れかに遮光性状を持つ布体(FT)を、挟持する挟持具(TQ・この図の場合はヘァーピンを大きくした様な物)で、図9の場合はファッション  タオルをイメージしている。
【手続補正書】
【提出日】平成22年4月24日(2010.4.24)
【手続補正１】
【補正対象書類名】明細書
【補正対象項目名】０００７
【補正方法】変更
【補正の内容】
【０００７】
第一の発明は通風口を設けた日除け体に、庇を前記通風口上部に設け、更に日除け体と庇の外面の何れかに、遮光性状を持つ布体を挟持する挟持具を取り付け、日除け体と庇を、発泡樹脂材を主材として成型加工した帽子を提供する。